(57)【要約】【課題】一の原稿画像と、一の付帯画像を含む出力結果を出力する際の利便性を高めた画像合成出力プログラム、画像合成出力システム及び画像合成出力装置を提供する。【解決手段】制御部１１は、第１テキスト入力欄５４Ａ等にテキスト入力があると、スキャン前プレビュー画面５０を表示する。所定の操作があると、制御部１１は、コピー命令と入力された各テキストデータを、多機能機３０へ送信する。制御部３１は、コピー命令を受信すると、スキャンデータ７０から、複数の原稿画像７１を取得する（Ｓ２１）。制御部３１は、テキストデータ及び原稿画像７１の識別番号に基づいて、一の原稿画像７１と一の付帯テキスト画像９０の組を一単位として、印刷用合成データを生成する（Ｓ２６）。印刷用合成データ等を受信すると、制御部１１は、印刷プレビュー画面８０を表示する。制御部３１は、制御部１１から印刷命令を受信すると、印刷用合成データを印刷する。【選択図】図５
2010206481.tif 000002
【特許請求の範囲】
【請求項１】
コンピュータを、
セットされた原稿に基づいて、画像データを取得可能な取得手段と、
前記取得手段より取得され、前記原稿に基づく原稿画像を複数含む一の画像データから、各原稿画像を夫々抽出する画像抽出手段と、
前記画像抽出手段により抽出された各原稿画像について、前記一の画像データにおける当該原稿画像の位置を特定する画像位置特定手段と、
前記画像位置特定手段により特定された各原稿画像の位置に基づいて、各原稿画像を識別可能な画像識別情報を付与する画像識別情報付与手段と、
複数の付帯画像データを入力可能な入力手段と、
前記入力手段より入力された付帯画像データに対して、当該付帯画像データを識別可能な付帯画像識別情報を付与する付帯画像識別情報付与手段と、
前記画像識別情報と、前記付帯画像識別情報と基づいて、一の原稿画像に対応する一の付帯画像データを特定する付帯画像データ特定手段と、
前記一の原稿画像と、前記付帯画像データ特定手段により特定され、当該原稿画像に対する所定の位置に配置された一の付帯画像データと、からなる単位合成データを生成し、当該単位合成データに基づいて、前記単位合成データを含む印刷データを生成する合成手段と、
前記合成手段により生成された印刷データを、一の用紙に印刷する印刷手段と、
して機能させるための画像合成出力プログラム。
【請求項２】
請求項１記載の画像合成出力プログラムであって、
コンピュータを、
前記印刷手段による印刷出力に先立って、
前記原稿に基づく原稿画像と、前記付帯画像データに基づく付帯画像と、の前記用紙における位置関係をプレビュー表示する表示手段と、
して機能させるための画像合成出力プログラム。
【請求項３】
請求項２記載の画像合成出力プログラムであって、
コンピュータを、
前記取得手段による一の画像データの取得に先立って、
前記入力手段により入力された複数の付帯画像データに基づく付帯画像と、当該付帯画像と対応する原稿画像に係る原稿の前記取得手段におけるセット位置と、の位置関係をプレビュー表示するように、前記表示手段を制御する第１表示制御手段と、
して機能させるための画像合成出力プログラム。
【請求項４】
請求項２記載の画像合成出力プログラムであって、
コンピュータを、
前記取得手段によって複数の原稿画像を含む一の画像データを取得した後、
前記印刷手段により出力される場合の用紙における前記原稿画像と、前記付帯画像データに基づく付帯画像の位置関係をプレビュー表示するように、前記表示手段を制御する第２表示制御手段と、
して機能させるための画像合成出力プログラム。
【請求項５】
請求項１乃至４記載の画像合成出力プログラムであって、
コンピュータを、
前記単位合成データを用紙に印刷出力した場合における、前記原稿画像に基づく画像と、前記付帯画像データに基づく付帯画像の位置関係を変更する位置関係変更手段と、
して機能させるための画像合成出力プログラム。
【請求項６】
請求項１乃至５記載の画像合成出力プログラムであって、
コンピュータを、
前記印刷データを構成する単位合成データの数を変更するデータ数変更手段と、
して機能させるための画像合成出力プログラム。
【請求項７】
セットされた原稿に基づいて、画像データを取得可能な取得手段と、
前記取得手段より取得され、前記原稿に基づく原稿画像を複数含む一の画像データから、各原稿画像を夫々抽出する画像抽出手段と、
前記画像抽出手段により抽出された各原稿画像について、前記一の画像データにおける当該原稿画像の位置を特定する画像位置特定手段と、
前記画像位置特定手段により特定された各原稿画像の位置に基づいて、各原稿画像を識別可能な画像識別情報を付与する画像識別情報付与手段と、
複数の付帯画像データを入力可能な入力手段と、
前記入力手段より入力された付帯画像データに対して、当該付帯画像データを識別可能な付帯画像識別情報を付与する付帯画像識別情報付与手段と、
前記画像識別情報と、前記付帯画像識別情報と基づいて、一の原稿画像に対応する一の付帯画像データを特定する付帯画像データ特定手段と、
前記一の原稿画像と、前記付帯画像データ特定手段により特定され、当該原稿画像に対する所定の位置に配置された一の付帯画像データと、からなる単位合成データを生成し、当該単位合成データに基づいて、前記単位合成データを含む印刷データを生成する合成手段と、
前記合成手段により生成された印刷データを、一の用紙に印刷する印刷手段と、
を備えることを特徴とする画像合成出力装置。
【請求項８】
セットされた原稿に基づいて、画像データを取得可能な取得手段と、を有する第１の情報端末と、
前記第１の情報端末と通信可能に接続された第２の情報端末と、を有する画像合成出力システムであって、
前記取得手段より取得され、前記原稿に基づく原稿画像を複数含む一の画像データから、各原稿画像を夫々抽出する画像抽出手段と、
前記画像抽出手段により抽出された各原稿画像について、前記一の画像データにおける当該原稿画像の位置を特定する画像位置特定手段と、
前記画像位置特定手段により特定された各原稿画像の位置に基づいて、各原稿画像を識別可能な画像識別情報を付与する画像識別情報付与手段と、
複数の付帯画像データを入力可能な入力手段と、
前記入力手段より入力された付帯画像データに対して、当該付帯画像データを識別可能な付帯画像識別情報を付与する付帯画像識別情報付与手段と、
前記画像識別情報と、前記付帯画像識別情報と基づいて、一の原稿画像に対応する一の付帯画像データを特定する付帯画像データ特定手段と、
前記一の原稿画像と、前記付帯画像データ特定手段により特定され、当該原稿画像に対する所定の位置に配置された一の付帯画像データと、からなる単位合成データを生成し、当該単位合成データに基づいて、前記単位合成データを含む印刷データを生成する合成手段と、
前記合成手段により生成された印刷データを、一の用紙に印刷する印刷手段と、
を備えることを特徴とする画像合成出力システム。
【発明の詳細な説明】
【技術分野】
【０００１】
本発明は、画像を合成して出力可能な画像合成出力プログラム、画像合成出力装置及び画像合成出力システムに関する。
【背景技術】
【０００２】
従来、画像処理装置に関する発明として、特許文献１に記載された発明が知られている。例えば、特許文献１記載の画像処理装置は、一の原稿をスキャンして取得した画像に対して、ユーザが入力した文字列に基づく画像（即ち、付帯画像）を合成する。
【先行技術文献】
【特許文献】
【０００３】
【特許文献１】特開２００６−１１４９７１号公報
【発明の概要】
【発明が解決しようとする課題】
【０００４】
ここで、この特許文献１記載の画像処理装置の場合、複数枚の原稿に対して、夫々異なる文字列を合成した出力結果を取得するためには、ユーザは、当該複数枚の原稿を一枚ずつ読み取り、夫々に適宜文字列（即ち、付帯画像データ）を入力する必要がある。つまり、特許文献１に係る発明は、上記の場合に、各原稿に対して煩雑な作業をユーザに要求するという側面を有している。本明細書は、複数の原稿の内容に対して、それぞれ付帯画像を合成した出力結果を取得する場合の利便性を高めた画像合成出力プログラム、画像合成出力装置、画像合成出力システムを提供する。
【課題を解決するための手段】
【０００５】
本発明の請求項１に係る画像合成出力プログラムは、コンピュータを、取得手段、画像抽出手段、画像位置特定手段、画像識別情報付与手段、入力手段、付帯画像識別情報付与手段、付帯画像データ特定手段、合成手段、印刷手段として機能させる。画像抽出手段は、前記取得手段より取得された一の画像データから、前記原稿に基づく複数の原稿画像を夫々抽出する。各原稿画像は、原稿位置特定手段により特定された当該一の画像データにおける位置に基づいて、画像識別情報を付与される。又、付帯画像識別情報付与手段は、入力手段により入力された付帯画像データに対して、夫々、付帯画像識別情報を付与する。付帯画像データ特定手段は、画像識別情報と、付帯画像識別情報に基づいて、一の原稿画像に対応する一の付帯画像データを特定する。各原稿画像は、付帯画像データ特定手段により特定された一の付帯画像データと合成され、単位合成データを構成する。尚、当該付帯画像データは、当該原稿データを基準として所定の位置に配置される。そして、印刷手段は、当該単位合成データを含む印刷データを、一の用紙に印刷する。
【０００６】
これにより、請求項１記載の画像合成出力プログラムは、コンピュータと協働することにより、一の原稿画像に対して、ユーザが所望する一の付帯画像を合成した出力結果を提供する場合のユーザの作業負担を軽減することができ、高い利便性を提供し得る。
【０００７】
そして、請求項２記載の画像合成出力プログラムは、コンピュータと協働することにより、表示手段として機能する。当該表示手段は、印刷手段による印刷出力に先立って、原稿に基づく原稿画像と、付帯画像データに基づく付帯画像との用紙における位置関係をプレビュー表示する。
【０００８】
当該画像合成出力プログラムは、印刷手段による印刷出力前に、原稿画像と付帯画像の位置関係を把握させ、ユーザ所望の位置関係で配置された出力結果（用紙）を、ユーザに提供し得る。
【０００９】
又、請求項３記載の画像合成出力プログラムは、コンピュータと協働することにより、第１表示制御手段として機能する。第１表示制御手段は、前記取得手段による一の画像データの取得に先立って、前記入力手段により入力された複数の付帯画像データに基づく付帯画像と、当該付帯画像と対応する原稿画像に係る原稿の前記取得手段におけるセット位置と、の位置関係をプレビュー表示するように、前記表示手段を制御する。
【００１０】
当該画像合成出力プログラムは、第１表示制御手段によるプレビュー表示を行うことで、所望の印刷結果を得るためのセット位置をユーザに把握させるので、ユーザ所望の印刷結果をより確実に提供し得る。
【００１１】
そして、請求項４記載の画像合成出力プログラムは、コンピュータと協働することにより、第２表示制御手段として機能する。第２表示制御手段は、前記取得手段によって複数の原稿画像を含む一の画像データを取得した後、前記印刷手段により出力される場合の用紙における前記原稿画像と、前記付帯画像データに基づく付帯画像の位置関係をプレビュー表示するように、前記表示手段を制御する。
【００１２】
当該画像合成出力プログラムは、実際の印刷結果に近しい態様をユーザに報知することで、ユーザ所望の印刷結果を、更に確実に提供し得る。
【００１３】
又、請求項５記載の画像合成出力プログラムは、コンピュータと協働することにより、位置関係変更手段として機能する。当該位置関係変更手段は、前記単位合成データを用紙に印刷出力した場合における、前記原稿画像に基づく画像と、前記付帯画像データに基づく付帯画像の位置関係を変更する。
【００１４】
当該画像合成出力プログラムは、一の原稿画像と一の付帯画像を、ユーザ所望の配置で一の用紙に印刷出力することができ、より確実に、ユーザ希望の印刷結果を提供し得る。
【００１５】
更に、請求項６記載の画像合成出力プログラムは、コンピュータと協働することにより、データ数変更手段として機能する。当該データ数変更手段は、前記印刷データを構成する単位合成データの数を変更する。
【００１６】
当該画像合成出力プログラムは、ユーザ所望の数分の「一の原稿画像と一の付帯画像データの組」を含む印刷結果を提供し得るので、より確実に、ユーザ希望の印刷結果を提供し得る。
【００１７】
請求項７記載の画像合成出力システムは、請求項１記載の合成画像出力プログラムと同様の効果を奏する。当該画像合成出力システムは、取得手段、画像抽出手段、画像位置特定手段、画像識別情報付与手段、入力手段、付帯画像識別情報付与手段、付帯画像データ特定手段、合成手段、印刷手段と、を備える。
【００１８】
当該合成画像出力システムは、請求項１記載の合成画像出力プログラムと同様に、一の原稿画像に対して、ユーザが所望する一の付帯画像を合成した出力結果を提供する場合のユーザの作業負担を軽減することができ、高い利便性を提供し得る。
【００１９】
請求項８記載の画像合成出力装置は、請求項１記載の合成画像出力プログラムと同様の効果を奏する。当該画像合成出力装置は、取得手段、画像抽出手段、画像位置特定手段、画像識別情報付与手段、入力手段、付帯画像識別情報付与手段、付帯画像データ特定手段、合成手段、印刷手段と、を備える。
【００２０】
当該画像合成出力装置は、請求項１記載の画像合成出力プログラムと同様に、一の原稿画像に対して、ユーザが所望する一の付帯画像を合成した出力結果を提供する場合のユーザの作業負担を軽減することができ、高い利便性を提供し得る。
【図面の簡単な説明】
【００２１】
【図１】本発明に係る印刷システムの概略構成を示す説明図である。
【図２】コンピュータで実行される制御プログラムのフローチャートである。
【図３】スキャン前プレビュー画面の一例を示す説明図である。
【図４】レイアウト選択画面の一例を示す説明図である。
【図５】多機能機で実行される制御プログラムのフローチャートである。
【図６】原稿画像ソート処理プログラムのフローチャートである。
【図７】原稿画像検索処理プログラムのフローチャートである。
【図８】スキャンデータの一例を示す説明図である。
【図９】原稿画像編集処理プログラムのフローチャートである。
【図１０】レイアウトタイプ（３）設定時における原稿画像・テキスト配置処理プログラムのフローチャートである。
【図１１】レイアウトタイプ（１）設定時の印刷プレビュー画面例である。
【図１２】レイアウトタイプ（２）設定時の印刷プレビュー画面例である。
【図１３】レイアウトタイプ（３）設定時の印刷プレビュー画面例である。
【図１４】印刷用合成データに基づく出力結果の一例を示す説明図である。
【発明を実施するための形態】
【００２２】
以下、本発明に係る画像合成出力プログラム、画像合成出力装置、画像合成出力システムを具体化した一実施形態について、図面を参照しつつ詳細に説明する。
【００２３】
（第１実施形態）
図１に示すように、印刷システム１は、コンピュータ１０と、多機能機３０により構成される。コンピュータ１０は、多機能機３０と接続されており、相互にデータ（例えば、スキャンデータ７０等）の送受信を行い得る。
【００２４】
先ず、印刷システム１を構成するコンピュータ１０の概略構成について、図面を参照しつつ詳細に説明する。図１に示すように、コンピュータ１０は、制御部１１を備えている。
【００２５】
制御部１１は、ＣＰＵ１２、ＲＯＭ１３、ＲＡＭ１４により構成される。ＣＰＵ１２は、コンピュータ１０に係る制御の中枢を担う中央演算装置である。ＲＯＭ１３は、コンピュータ１０の制御に必要な恒久的なデータや制御プログラムを記憶している。ＲＡＭ１４は、ＣＰＵ１２による制御プログラムの演算結果等を一時的に記憶する。
【００２６】
そして、コンピュータ１０は、制御部１１と接続された記憶装置１５（例えば、ＨＤＤ等）を備えている。そして、記憶装置１５は、アプリケーションプログラム１６を記憶している。アプリケーションプログラム１６は、後述する制御プログラム（図２等参照）、文書作成プログラム、表計算プログラム等を含む。
【００２７】
更に、コンピュータ１０は、マウス２３、キーボード２４、ディスプレイ２５を備えている。マウス２３、キーボード２４は、制御部１１に接続されている。そして、ディスプレイ２５は、出力Ｉ／Ｆ２１を介し、制御部１１に接続されている。
【００２８】
又、コンピュータ１０は、ネットワークＩ／Ｆ２２を備えている。コンピュータ１０は、当該ネットワークＩ／Ｆ２２を介して、多機能機３０と接続されている。
【００２９】
次に、印刷システム１を構成する多機能機３０の概略構成について、図面を参照しつつ詳細に説明する。多機能機３０は、制御部３１を有している。制御部３１は、ＣＰＵ３２、ＲＯＭ３３、ＲＡＭ３４により構成される。ＣＰＵ３２は、多機能機３０の制御の中枢を担う中央演算装置である。ＲＯＭ３３は、多機能機３０の制御に要するデータやプログラム（例えば、図５〜７、図９、図１０等）を記憶している。そして、ＲＡＭ３４は、ＣＰＵ３２によるプログラムの演算結果等を一時的に記憶する。
【００３０】
そして、多機能機３０は、スキャナ部３５、印刷部３６、ファックス部３７を備えている。図１に示す多機能機３０の外観図からわかるように、スキャナ部３５は、フラットベットと、キャリッジと、を有している。
【００３１】
フラットベットは、光透過可能な材質（例えば、ガラス）で構成されている。フラットベットのサイズは、Ａ３サイズ等の用紙を載置可能なサイズである。ユーザは、一度に複数枚の原稿を、フラットベットに載置できる。
【００３２】
キャリッジは、フラットベット上の原稿に光を照射する光源を有している。キャリッジから照射された光は、フラットベット上の原稿により反射され、撮像装置による原稿画像の撮像に用いられる。撮像装置は、複数の撮像素子（例えば、ＣＣＤ）を有しており、スキャナ部３５を構成する。
【００３３】
従って、フラットベット上に複数の原稿を載置した場合、多機能機３０は、スキャナ部３５を制御することにより、図８に示すスキャンデータ７０を取得し得る。当該スキャンデータ７０は、フラットベット上の原稿に基づく原稿画像７１を複数含んでいる。
【００３４】
印刷部３６は、制御部３１の制御に基づいて、入力された印刷データを用紙へ印刷出力する。印刷部３６の詳細な構成については、既に公知であるため、その説明を省略する。尚、本発明は、当該印刷部３６における印刷の方式として、種々の方式（例えば、電子写真式、インクジェット式等）を採用し得る。
【００３５】
ファックス部３７は、制御部３１の制御に基づいて、所定の相手先装置に対して、ファクシミリ送信を行う。即ち、ファックス部３７は、入力されたファックス送信データを、公衆交換電話網等を介して、相手先装置にデータ出力する。ファックス部３７の詳細な構成は、既に公知であるためその説明を省略する。
【００３６】
多機能機３０は、表示パネル３８、キーパッド３９を有している。表示パネル３８は、制御部３１の制御により、種々の画像を表示し得る。キーパッド３９は、ユーザによる種々の操作に用いられる。更に、多機能機３０は、ネットワークＩ／Ｆ４０と、ＰＳＴＮ  Ｉ／Ｆ４１と、を備えている。
【００３７】
次に、印刷システム１を構成するコンピュータ１０の制御プログラムについて、図面を参照しつつ詳細に説明する。当該制御プログラムは、コンピュータ１０の制御部１１により実行される。
【００３８】
この時、コンピュータ１０のディスプレイ２５には、テキスト入力画面が表示されている。当該テキスト入力画面は、後述するスキャン前プレビュー画面５０と同様の画面であるが、原稿位置ガイド画像５１を含まない。
【００３９】
先ず、Ｓ１においては、第１テキスト入力欄５４Ａ〜第３テキスト入力欄５４Ｃ（図３参照）に対して、テキスト（即ち、文字列）の入力があったか否かを判断する。テキスト入力は、マウス２３、キーボード２４を用いて行われる。テキスト入力があった場合（Ｓ１：ＹＥＳ）、Ｓ２に処理を移行する。そうでない場合（Ｓ１：ＮＯ）、Ｓ７に処理を移行する。
【００４０】
Ｓ２に移行すると、スキャン前プレビュー画面５０をディスプレイ２５に表示する。ここで、スキャン前プレビュー画面５０について、図面を参照しつつ詳細に説明する。図３は、スキャン前プレビュー画面５０の一例を示す説明図である。
【００４１】
スキャン前プレビュー画面５０は、原稿位置ガイド画像５１、第１テキスト入力欄５４Ａ〜第３テキスト入力欄５４Ｃ、Ｐｒｉｎｔボタン５５、レイアウト選択ボタン５６を含む。
【００４２】
原稿位置ガイド画像５１は、原稿位置画像５２と、入力テキスト画像５３により構成される。原稿位置ガイド画像５１は、スキャン前プレビュー画面５０に含まれる多機能機３０の模式図と協働し、スキャナ部３５における原稿のセット位置と、各テキスト入力欄に入力されたテキストの対応関係及び位置関係を示す。
【００４３】
原稿位置画像５２は、スキャナ部３５により原稿画像７１を取得する際に、フラットベットにおける原稿のセット位置を示す。そして、入力テキスト画像５３は、第１テキスト入力欄５４Ａ等に入力されたテキストの内容と、後に取得される原稿画像７１との対応関係及び位置関係を示す。
【００４４】
尚、原稿位置ガイド画像５１の表示内容は、各テキスト入力欄の入力内容が更新されると、後述するＳ４により更新される。又、レイアウト選択処理（Ｓ１０）が行われた場合、原稿位置ガイド画像５１における原稿位置画像５２、入力テキスト画像５３の表示位置は、設定されたレイアウトパターンに従い変更される。
【００４５】
第１テキスト入力欄５４Ａ〜第３テキスト入力欄５４Ｃは、ユーザ所望のテキスト（文字列）が入力される入力欄である。各テキスト入力欄は、夫々識別番号と対応付けられており、テキスト入力欄に入力されたテキストデータは、当該テキスト入力欄に対応する識別番号と関連付けられる。
【００４６】
尚、図３においては、第１テキスト入力欄５４Ａ〜第３テキスト入力欄５４Ｃの３つのみを図示しているが、スキャン前プレビュー画面５０は、更に多くのテキスト入力欄を有している。
【００４７】
Ｐｒｉｎｔボタン５５は、ユーザがテキスト入力を終了し、入力したテキストと、スキャナ部３５で取得される原稿画像７１を組とした印刷出力を指示する際に操作される。そして、レイアウト選択ボタン５６は、印刷出力する際のレイアウトを選択・設定する際に操作される。
【００４８】
図２に示すように、スキャン前プレビュー画面５０をディスプレイ２５に表示した後、Ｓ３では、カウンタｎを「１」にセットする。カウンタｎの数値と同じ識別番号が対応付けられたテキストが、Ｓ４の処理対象となる。
【００４９】
Ｓ４においては、対象となるテキスト入力欄に入力されたテキストに基づき、入力テキスト画像５３を生成し、当該入力テキスト画像５３を、原稿位置ガイド画像５１における所定位置に表示する（図３参照）。
【００５０】
Ｓ５に移行すると、カウンタｎの値に「１」を加算する。これにより、新たなテキストがＳ４の処理対象となる。
【００５１】
Ｓ６では、カウンタｎの数値が、全テキスト数Ｎより大きいか否かを判断する。全テキスト数Ｎは、テキスト入力欄に入力されているテキストの総数を示す。カウンタｎの値が全テキスト数Ｎより大きい場合（Ｓ６：ＹＥＳ）、Ｓ１に処理を戻す。そうでない場合（Ｓ６：ＮＯ）、Ｓ４に処理を戻す。
【００５２】
Ｓ７においては、Ｐｒｉｎｔボタン５５の入力があったか否かを判断する。Ｐｒｉｎｔボタン５５の入力があった場合（Ｓ７：ＹＥＳ）、Ｓ８に処理を移行する。そうでない場合（Ｓ７：ＮＯ）、Ｓ９に処理を移行する。
【００５３】
Ｓ８に移行すると、ネットワークＩ／Ｆ２２を介して、多機能機３０へコピー命令を送信する。コピー命令は、各テキスト入力欄に入力されたテキストデータと、後述するレイアウト選択処理（Ｓ１０）で設定されたレイアウトパターンデータを含む。又、当該テキストデータは、夫々、テキスト入力欄に基づく識別番号を含んでいる。
【００５４】
Ｓ９では、レイアウト選択ボタン５６の入力があったか否かを判断する。レイアウト選択ボタン５６の入力があった場合（Ｓ９：ＹＥＳ）、Ｓ１０へ処理を移行する。そうでない場合（Ｓ９：ＮＯ）、Ｓ１に処理を戻す。
【００５５】
Ｓ１０においては、ディスプレイ２５にレイアウト選択画面６０を表示し、ユーザ所望のレイアウトパターンの選択・設定を受け付ける。
【００５６】
ここで、レイアウト選択画面６０について、図面を参照しつつ詳細に説明する。図４に示すように、レイアウト選択画面６０は、第１選択ボタン６１、第２選択ボタン６２、第３選択ボタン６３、選択決定ボタン６４を含む。
【００５７】
第１選択ボタン６１は、「レイアウトパターン（１）」を選択する際に用いられるボタンである。「レイアウトパターン（１）」は、１ページ分の出力結果に対して、一の原稿画像７１と、入力されたテキストに基づく一の付帯テキスト画像９０の組を出力するレイアウトパターンである（図１１参照）。この場合の付帯テキスト画像９０は、対応する原稿画像７１の下方に配置される。
【００５８】
第２選択ボタン６２は、「レイアウトパターン（２）」を選択する際に用いられるボタンである。「レイアウトパターン（２）」は、１ページ分の出力結果に対して、一の原稿画像７１と、一の付帯テキスト画像９０の組を出力するレイアウトパターンである（図１２参照）。この場合の付帯テキスト画像９０は、対応する原稿画像７１の上方に配置される。
【００５９】
第３選択ボタン６３は、「レイアウトパターン（３）」を選択する際に用いられるボタンである。「レイアウトパターン（３）」は、１ページ分の出力結果に対して、一の原稿画像７１と、入力されたテキストに基づく一の付帯テキスト画像９０の組を３組分出力するレイアウトパターンである（図１２、図１３参照）。この場合の付帯テキスト画像９０は、対応する原稿画像７１の右側に配置される。
【００６０】
選択決定ボタン６４は、第１選択ボタン６１〜第３選択ボタン６３に対する選択を確定し、レイアウトパターンを設定する際に用いられる。
【００６１】
従って、Ｓ１０において、ユーザは、第１選択ボタン６１〜第３選択ボタン６３を用いて、所望のレイアウトパターンを選択し、選択決定ボタン６４により、所望のレイアウトパターンを設定する。選択決定ボタン６４の操作により、制御部１１は、レイアウト選択処理を終了する。
【００６２】
再び、図２を参照しつつＳ１１以後の処理について説明する。Ｓ１１においては、プレビュー用データを多機能機３０から受信したか否かを判断する。プレビュー用データは、多機能機３０で生成されるスキャンデータ７０と、原稿画像７１と付帯テキスト画像９０を有する印刷用合成データを含む。プレビュー用データを受信した場合（Ｓ１１：ＹＥＳ）、Ｓ１２に処理を移行する。そうでない場合（Ｓ１１：ＮＯ）、プレビュー用データを受信するまで処理を待機する。
【００６３】
Ｓ１２に移行すると、プレビュー用データに基づいて、印刷プレビュー画面８０をディスプレイ２５に表示する。
【００６４】
ここで、印刷プレビュー画面８０について、図１１〜図１３を参照しつつ詳細に説明する。図１１〜図１３に示すように、印刷プレビュー画面８０は、スキャン画像８１、プレビュー画像８２、ＯＫボタン８３、キャンセルボタン８４を含んでいる。
【００６５】
スキャン画像８１は、多機能機３０のスキャナ部３５により取得されたスキャンデータ７０に基づく画像である。スキャン画像８１は、スキャナ部３５のフラットベットにセットされた原稿の画像を示す。
【００６６】
プレビュー画像８２は、プレビュー用データを構成する印刷用合成データに基づく画像である。後述するように、印刷用合成データは、一の原稿画像７１と、付帯テキスト画像９０の組を、設定されているレイアウトパターンに従って合成した画像データである。従って、図１１〜図１３に示すように、プレビュー画像８２の表示内容は、設定されているレイアウトパターンに応じて相違する。
【００６７】
ＯＫボタン８３は、プレビュー画像８２が示す内容（即ち、印刷用合成データ）に従って、印刷用紙１００に対する印刷を実行する際に用いられる。キャンセルボタン８４は、プレビュー画像８２の内容に従った印刷を取り消す際に用いられる。
【００６８】
再び図２に基づいて、Ｓ１３以後の処理について説明する。Ｓ１３では、ＯＫボタン８３の入力があったか否かを判断する。ＯＫボタン８３の入力があった場合（Ｓ１３：ＹＥＳ）、Ｓ１４に処理を移行する。そうでない場合（Ｓ１３：ＮＯ）、Ｓ１５に処理を移行する。
【００６９】
Ｓ１４においては、ネットワークＩ／Ｆ２２を介して、多機能機３０へ印刷命令を送信し、当該制御プログラムを終了する。印刷命令は、印刷用合成データに基づく印刷の実行を指示する命令である。
【００７０】
Ｓ１５に移行すると、キャンセルボタン８４の入力があったか否かを判断する。キャンセルボタン８４の入力があった場合（Ｓ１５：ＮＯ）、Ｓ１６に処理を移行する。そうでない場合、Ｓ１３に処理を戻す。
【００７１】
Ｓ１６では、制御部１１は、ネットワークＩ／Ｆ２２を介して、多機能機３０へ取消命令を送信し、当該制御プログラムを終了する。取消命令は、印刷用合成データに基づく印刷を取り消す命令である。
【００７２】
次に、印刷システム１を構成する多機能機３０の制御プログラムについて、図５を参照しつつ詳細に説明する。多機能機３０の制御プログラムは、制御部３１によって実行される。
【００７３】
尚、以下の説明において、多機能機３０は、上述したＳ８でコンピュータ１０から送信されたコピー命令（テキストデータ、レイアウトパターンデータを含む）を受信しているものとする。
【００７４】
又、多機能機３０のフラットベットには、ユーザ所望の複数枚の原稿がセット位置にセットされているものとする。この時、ユーザは、スキャン前プレビュー画面５０の原稿位置ガイド画像５１に基づいて、複数枚の原稿をセットしている。
【００７５】
Ｓ２１においては、受信したコピー命令に基づいて、オートクロップ（AUTOCROP）スキャンを実行する。
【００７６】
具体的に説明すると、Ｓ２１では、スキャナ部３５を制御し、セット位置にセットされた各原稿に基づく原稿画像７１を含むスキャンデータ７０を生成する（図８参照）。スキャンデータ７０は、スキャン画像高Ｈと、スキャン画像幅Ｗで規定されるサイズである。当該スキャンデータ７０は、プレビュー用データを構成し、ＲＡＭ３４に格納される。
【００７７】
その後、エッジ検出等を行うことにより、生成したスキャンデータ７０から、各原稿の原稿画像７１を検出する。そして、各原稿画像７１を切り出し、各原稿画像７１も、個別にＲＡＭ３４に格納する。この時、各原稿画像７１には、スキャンデータ７０から切り出した順に、検出番号が付与される。尚、当該検出番号は、後述する識別番号とは異なる概念である。
【００７８】
そして、スキャンデータ７０に直交座標系を設定し、各原稿画像７１の位置座標情報を取得する。具体的には、スキャンデータ７０の左上隅の画素の位置を、原点Ｏに設定する（図８参照）。そして、原点Ｏを通るスキャンデータ７０の横方向を横軸（Ｘ軸）、原点Ｏを通るスキャンデータ７０の高さ方向を縦軸（Ｙ軸）に設定する（図８参照）。
【００７９】
その後、各原稿画像７１の左上隅部の位置を画像基準点Ｉに特定し、当該画像基準点Ｉの位置を示す位置座標情報を、直交座標系に基づいて取得する。各原稿画像７１の切り出し、各原稿画像の位置座標情報の取得を完了すると、オートクロップスキャンを終了する。
【００８０】
Ｓ２２に移行すると、原稿画像ソート処理を実行する。原稿画像ソート処理（Ｓ２２）では、制御部３１は、原稿画像ソート処理プログラムを実行する。
【００８１】
ここで、原稿画像ソート処理プログラムについて、図６を参照しつつ詳細に説明する。原稿画像ソート処理（Ｓ２２）に移行すると、まず、対象座標のＹ座標ｈを「１」に設定する。対象座標は、原稿画像７１の有無に関する検出対象となる座標を意味する。
【００８２】
Ｓ４２においては、対象座標のＸ座標ｗを「１」に設定する。
【００８３】
Ｓ４３では、原稿画像検索処理を実行する。原稿画像検索処理（Ｓ４３）においては、制御部３１は、原稿画像検索処理プログラムを実行する。
【００８４】
ここで、原稿画像検索処理プログラムについて、図７を参照しつつ詳細に説明する。原稿画像検索処理（Ｓ４３）に移行すると、まず、カウンタｉの数値を「１」に設定する（Ｓ５１）。カウンタｉの数値は、各原稿画像７１の検出番号に対応し、判断対象となる原稿画像７１を示す。
【００８５】
Ｓ５２においては、対象座標が対象画像の位置座標と一致しているか否かを判断する。具体的には、対象画像に係る位置座標情報に基づいて、当該判断を行う。対象座標が対象画像の位置座標と一致する場合（Ｓ５２：ＹＥＳ）、Ｓ５５に処理を移行する。そうでない場合（Ｓ５２：ＮＯ）、Ｓ５３に処理を移行する。対象画像は、カウンタｉの値により特定される一の原稿画像７１を意味する。
【００８６】
Ｓ５３では、カウンタｉの値に「１」を加算する。即ち、次の検出番号に係る原稿画像７１を対象画像に設定する。
【００８７】
Ｓ５４に移行すると、カウンタｉの値が原稿画像数Ｎより大きいか否かを判断する。原稿画像数Ｎは、スキャンデータ７０に含まれる原稿画像７１の総数であり、Ｓ２１で取得される。カウンタｉの値が原稿画像数Ｎより大きい場合（Ｓ５４：ＹＥＳ）、原稿画像検索処理プログラムを終了し、Ｓ４４に処理を移行する。そうでない場合（Ｓ５４：ＮＯ）、Ｓ５２に処理を戻し、新たな対象画像に対する処理を行う。
【００８８】
Ｓ５５においては、対象座標と対象画像の位置座標が一致したことに基づいて、画像検出情報をＲＡＭ３４に格納する。
【００８９】
再び図６を参照しつつ、原稿画像ソート処理プログラムのＳ４４以後の処理について説明する。Ｓ４４に移行すると、上述した画像検出情報の有無に基づいて、対象座標に原稿画像７１を検出したか否かを判断する。対象座標に原稿画像７１を検出した場合（Ｓ４４：ＹＥＳ）、Ｓ４５に処理を移行する。そうでない場合（Ｓ４４：ＮＯ）、Ｓ４６に処理を移行する。
【００９０】
Ｓ４５においては、検出した原稿画像７１に対して、識別番号を付与する。具体的には、検出した順番に従って、「１」から順に識別番号を付与する。
【００９１】
Ｓ４６では、対象座標のＸ座標ｗの値に「１」を加算し、対象座標を横方向に「１」ずらす。
【００９２】
Ｓ４７に移行すると、対象座標のＸ座標ｗの値がスキャン画像幅Ｗ（即ち、Ｘ座標の最大値）より大きいか否かを判断する。即ち、或る一行を構成する全ての画素について、原稿画像７１の検出処理を行ったか否かを判断する。Ｘ座標ｗの値がスキャン画像幅Ｗよりも大きい場合（Ｓ４７：ＹＥＳ）、Ｓ４８に処理を移行する。そうでない場合（Ｓ４７：ＮＯ）、Ｓ４４に処理を戻す。
【００９３】
Ｓ４８においては、対象座標のＹ座標ｈの値に「１」を加算し、対象座標を下方向に「１」ずらす。
【００９４】
Ｓ４９では、対象座標のＹ座標ｈの値がスキャン画像高Ｈ（即ち、Ｙ座標の最大値）より大きいか否かを判断し、スキャンデータ７０を構成する全ての画素について、原稿画像７１の検出処理を行ったか否かを判断する。Ｙ座標ｈの値がスキャン画像高Ｈよりも大きい場合（Ｓ４９：ＹＥＳ）、原稿画像ソート処理プログラムを終了し、Ｓ２３に処理を移行する。そうでない場合（Ｓ４９：ＮＯ）、Ｓ４２に処理を戻す。
【００９５】
再び図５を参照しつつ、多機能機３０の制御プログラムにおけるＳ２３以後の処理について説明する。Ｓ２３では、カウンタｎの値を「１」に設定する。この場合のカウンタｎの値は、テキスト及び原稿画像７１の識別番号に対応する。
【００９６】
Ｓ２４においては、カウンタｎの値に対応する識別番号が付与された原稿画像７１をＲＡＭ３４から取得し、編集対象画像に設定する。編集対象画像は、後述する原稿画像編集処理（Ｓ２６）の処理対象となる原稿画像７１を意味する。
【００９７】
Ｓ２５に移行すると、コピー命令と共に受信したテキストデータに、対応テキストが存在するか否かを判断する。対応テキストは、カウンタｎの値に対応する識別番号が付与されたテキストデータを意味する。対応テキストが存在する場合（Ｓ２５：ＹＥＳ）、Ｓ２６に処理を移行する。そうでない場合（Ｓ２５：ＮＯ）、Ｓ２７に処理を移行する。
【００９８】
Ｓ２６では、原稿画像編集処理を実行する。原稿画像編集処理（Ｓ２６）においては、制御部３１は、原稿画像編集処理プログラムを実行する。
【００９９】
ここで、原稿画像編集処理プログラムについて、図面を参照しつつ詳細に説明する。図９は、原稿画像編集処理プログラムのフローチャートである。
【０１００】
原稿画像編集処理（Ｓ２６）に移行すると、まず、受信したレイアウトタイプデータに基づいて、設定されたレイアウトタイプが「レイアウトタイプ（１）」であるか否かを判断する（Ｓ６１）。「レイアウトタイプ（１）」である場合（Ｓ６１：ＹＥＳ）、Ｓ６２に処理を移行する。そうでない場合（Ｓ６１：ＮＯ）、Ｓ６６に処理を移行する。
【０１０１】
Ｓ６２では、カウンタｎの値（即ち、編集対象画像及び対応テキストに係る識別番号）を、印刷用データ番号Ｍに設定する。印刷用データ番号Ｍは、印刷用合成データの番号であり、印刷出力時のページ番号に対応する。
【０１０２】
Ｓ６３においては、印刷用合成データの上部にあたる位置に、編集対象画像を配置・合成する。
【０１０３】
Ｓ６４に移行すると、印刷用合成データの下部にあたる位置に、対応テキストに基づく付帯テキスト画像９０を配置する。その後、画像編集処理プログラムを終了し、Ｓ２７に処理を移行する。
【０１０４】
Ｓ６５では、受信したレイアウトタイプデータに基づいて、設定されたレイアウトタイプが「レイアウトタイプ（２）」であるか否かを判断する。「レイアウトタイプ（２）」である場合（Ｓ６５：ＹＥＳ）、Ｓ６６に処理を移行する。そうでない場合（Ｓ６５：ＮＯ）、Ｓ６９に処理を移行する。
【０１０５】
Ｓ６６においては、カウンタｎの値を、印刷用データ番号Ｍに設定する。
【０１０６】
Ｓ６７では、印刷用合成データの下部にあたる位置に、編集対象画像を配置・合成する。
【０１０７】
Ｓ６８においては、印刷用合成データの上部にあたる位置に、対応テキストに基づく付帯テキスト画像９０を配置する。その後、画像編集処理プログラムを終了し、Ｓ２７に処理を移行する。
【０１０８】
Ｓ６９では、設定されている「レイアウトタイプ（３）」に基づいて、原稿画像・テキスト配置処理を実行する。制御部３１は、図１０に示す原稿画像・テキスト配置処理プログラムを実行する。
【０１０９】
ここで、Ｓ６９で制御部３１により実行される原稿画像・テキスト配置処理プログラムについて、図１０を参照しつつ詳細に説明する。
【０１１０】
Ｓ８１においては、まず、カウンタｎの値を「３」で除算した剰余が「１」であるか否かを判断する。当該剰余が「１」である場合（Ｓ８１：ＹＥＳ）、Ｓ８２に処理を移行する。そうでない場合（Ｓ８１：ＮＯ）、Ｓ８６に処理を移行する。
【０１１１】
Ｓ８２に移行すると、カウンタｎの値が「１」であるか否かを判断する。カウンタｎの値が「１」である場合（Ｓ８２：ＹＥＳ）、Ｓ８３に処理を移行する。そうでない場合（Ｓ８２：ＮＯ）、Ｓ８４に処理を移行する。
【０１１２】
Ｓ８３では、印刷用データ番号Ｍに「１」を設定する。
【０１１３】
Ｓ８４においては、印刷用合成データの左上部にあたる位置に、編集対象画像を配置・合成する。
【０１１４】
Ｓ８５では、印刷用合成データの右上部にあたる位置に、対応テキストに基づく付帯テキスト画像９０を配置する。その後、当該原稿画像・テキスト配置処理プログラム及び画像編集処理プログラムを終了し、Ｓ２７に処理を移行する。
【０１１５】
Ｓ８６に移行すると、カウンタｎの値を「３」で除算した剰余が「２」であるか否かを判断する。剰余が「２」である場合（Ｓ８６：ＹＥＳ）、Ｓ８７に処理を移行する。そうでない場合（Ｓ８６：ＮＯ）、Ｓ８９に処理を移行する。
【０１１６】
Ｓ８７では、印刷用合成データの左中央部にあたる位置に、編集対象画像を配置・合成する。
【０１１７】
Ｓ８８に移行すると、印刷用合成データの右中央部にあたる位置に、対応テキストに基づく付帯テキスト画像９０を配置する。その後、当該原稿画像・テキスト配置処理プログラム及び画像編集処理プログラムを終了し、Ｓ２７に処理を移行する。
【０１１８】
Ｓ８９では、印刷用合成データの左下部にあたる位置に、編集対象画像を配置・合成する。
【０１１９】
Ｓ９０においては、印刷用合成データの右下部にあたる位置に、対応テキストに基づく付帯テキスト画像９０を配置する。
【０１２０】
Ｓ９１に移行すると、印刷用データ番号Ｍの値に「１」を加算する。その後、当該原稿画像・テキスト配置処理プログラム及び画像編集処理プログラムを終了し、Ｓ２７に処理を移行する。
【０１２１】
再び図５を参照しつつ、多機能機３０の制御プログラムにおけるＳ２７以後の処理について説明する。Ｓ２７においては、カウンタｎの値に「１」を加算し、処理対象となるテキスト、原稿画像７１を変更する。
【０１２２】
Ｓ２８では、カウンタｎの値が原稿画像数Ｎより大きいか否かを判断する。即ち、全ての原稿画像７１に対する処理を完了したか否かを判断する。カウンタｎの値が原稿画像数Ｎより大きい場合（Ｓ２８：ＹＥＳ）、Ｓ２９に処理を移行する。そうでない場合（Ｓ２９：ＮＯ）、Ｓ２４に処理を戻す。
【０１２３】
Ｓ２９に移行すると、スキャンデータ７０と、Ｓ２６により生成された印刷用合成データをＲＡＭ３４から読み出し、ネットワークＩ／Ｆ４０を介して、プレビュー用データを送信する。
【０１２４】
Ｓ３０においては、ネットワークＩ／Ｆ４０を介して、コンピュータ１０から印刷命令を受信したか否かを判断する。Ｓ１４に基づく印刷命令を受信した場合（Ｓ３０：ＹＥＳ）、Ｓ３１に処理を移行する。そうでない場合（Ｓ３０：ＮＯ）、Ｓ３２に処理を移行する。
【０１２５】
Ｓ３１では、印刷処理を行う。即ち、印刷用合成データに基づいて、印刷用紙１００に対する印刷を行う（図１４参照）。印刷処理を終了すると、制御プログラムを終了する。
【０１２６】
Ｓ３２に移行すると、ネットワークＩ／Ｆ４０を介して、コンピュータ１０から取消命令を受信したか否かを判断する。Ｓ１６に基づく取消命令を受信した場合（Ｓ３２：ＹＥＳ）、Ｓ３３に処理を移行する。そうでない場合（Ｓ３２：ＮＯ）、Ｓ３０に処理を戻す。
【０１２７】
Ｓ３３においては、キャンセル処理を実行する。具体的には、印刷用合成データ等をＲＡＭ３４から消去し、制御プログラムを終了する。
【０１２８】
以上、説明したように、第１実施形態に係る印刷システム１及び制御プログラム（図２、図５〜図７、図９、図１０参照）は、原稿に基づく原稿画像７１を複数含むスキャンデータ７０から、各原稿画像７１を抽出する（Ｓ２１）。又、印刷システム１によれば、ユーザは、第１テキスト入力欄５４Ａ等に対して、所望のテキストを入力し得る（Ｓ１）。そして、当該印刷システム１は、各原稿画像７１と、入力された各テキストを、夫々の識別番号に基づいて対応付け、印刷用合成データを生成する（Ｓ２３〜Ｓ２６）。印刷用合成データは、一の原稿画像７１と、一の付帯テキスト画像９０の組を一単位として含む。生成された印刷用合成データは、一ページ単位で、印刷用紙１００に印刷される（Ｓ３１、図１４）。
【０１２９】
この結果、当該印刷システム１は、一回のスキャン作業を行うことで、複数枚の原稿に係る内容（即ち、原稿画像７１）に、付帯テキスト画像９０を付加した出力結果を提供し得る。即ち、当該印刷システム１は、各原稿単位でスキャンする必要はなく、ユーザの作業負担を軽減することができ、高い利便性を提供し得る。
【０１３０】
又、当該印刷システム１は、スキャナ部３５による原稿のスキャン前に、スキャン前プレビュー画面５０を、ディスプレイ２５に表示する（Ｓ２）。スキャン前プレビュー画面５０は、原稿位置ガイド画像５１を含む。
【０１３１】
スキャン前プレビュー画面５０に原稿位置ガイド画像５１を表示することにより、印刷システム１は、入力したテキストと、スキャナ部３５のフラットベットにセットされる原稿のセット位置を報知し得る。この結果、ユーザは、原稿画像７１と付帯テキスト画像９０の対応関係を所望の態様とすべく、原稿をセットし得る。従って、印刷システム１は、ユーザ所望の対応で配置された出力結果を、確実にユーザに提供し得る。
【０１３２】
当該印刷システム１は、複数の原稿画像７１を含むスキャンデータ７０を取得した後、印刷プレビュー画面８０をディスプレイ２５に表示する（Ｓ１２）。印刷プレビュー画面８０は、印刷用合成データに基づくプレビュー画像８２を含む。
【０１３３】
従って、当該印刷システム１は、実際の印刷結果と同様のプレビュー画像８２を報知することで、より確実に、ユーザ所望の出力結果を提供し得る。又、印刷システム１は、この時点で印刷実行と印刷キャンセルを受け付けるので、ユーザは、無駄な出力を行わずに、所望の出力結果をユーザに提供し得る。
【０１３４】
更に、当該印刷システム１は、レイアウト選択画面６０により、ユーザ所望のレイアウトタイプに基づく出力結果を提供し得る。「レイアウトタイプ（１）」〜「レイアウトタイプ（３）」を選択することにより、ユーザは、一の原稿画像７１を基準とした付帯テキスト画像９０の位置や、印刷用合成データに含まれる「原稿画像７１と付帯テキスト画像９０の組」の数を変更し得る（図９、図１０参照）。この結果、当該印刷システム１は、より確実に、ユーザ希望の印刷結果を提供し得る。
【０１３５】
（第２実施形態）
次に、本発明を多機能機３０単体に適用した一実施形態を、第２実施形態として説明する。第２実施形態における多機能機３０の基本的構成は、第１実施形態に係る多機能機３０と同一である。従って、第１実施形態との相違点についてのみ説明する。
【０１３６】
当該多機能機３０においては、上記第１実施形態に係る制御プログラム等（図２）は、多機能機３０が有する記憶装置（例えば、ＲＯＭ３３）に記憶されている。そして、当該制御プログラム等は、多機能機３０の制御部３１により実行される。
【０１３７】
そして、第２実施形態においては、図２に示す制御プログラムのＳ２、Ｓ４、Ｓ８、Ｓ１０、Ｓ１１、Ｓ１３〜Ｓ１６の処理内容及び図５に示す制御プログラムのＳ２９〜Ｓ３３の処理内容が、第１実施形態に係る制御プログラムと相違し、その他の処理内容は、第１実施形態と同一である。次に、第２実施形態に係る制御プログラムの相違点について説明する。
【０１３８】
先ず、第２実施形態においては、Ｓ２、Ｓ４におけるスキャン前プレビュー画面５０、Ｓ１０におけるレイアウト選択画面６０、Ｓ１２における印刷プレビュー画面８０は、ディスプレイ２５ではなく、表示パネル３８に表示される。上記各処理の内容は、表示装置の相違を除き、第１実施形態と同様である。
【０１３９】
又、第２実施形態におけるＳ８、Ｓ１１、Ｓ１３〜Ｓ１６、Ｓ２９〜Ｓ３３の処理は、外部装置（例えば、第１実施形態におけるコンピュータ１０）と通信することなく、多機能機３０の内部の処理として実行される。上記各処理の内容は、外部機器と通信しない点を除き、第１実施形態と同様である。
【０１４０】
そして、第２実施形態に係る図５に示す制御プログラムは、キーパッド３９等の操作によるＰｒｉｎｔボタン５５の入力があった場合に、制御部３１により実行される。
【０１４１】
このように構成することで、第２実施形態に係る多機能機３０及び制御プログラムは、第１実施形態に係る印刷システム１及び制御プログラムと同様の効果を奏する。即ち、当該多機能機３０及び制御プログラムは、一の原稿画像に対して、ユーザが所望する一の付帯画像を合成した出力結果を提供する場合のユーザの作業負担を軽減することができ、高い利便性を提供し得る。又、当該多機能機３０及び制御プログラムは、確実に、ユーザ所望の位置関係で配置された出力結果（用紙）を、ユーザに提供し得る。
【０１４２】
以上、実施形態に基づき本発明を説明したが、本発明は上述した実施形態に何ら限定されるものではなく、本発明の趣旨を逸脱しない範囲内で種々の改良変更が可能である。
【０１４３】
例えば、上記実施形態においては、ユーザが入力したテキストに基づく付帯テキスト画像９０を、各原稿画像７１に対応付け、印刷用合成データを生成するように構成していたが、本発明は、この態様に限定されるものではない。即ち、本発明は、原稿画像７１と対応付けられるデータとして、画像データであれば種々の態様を採用し得る。
【０１４４】
又、上記実施形態において、レイアウト選択処理（Ｓ１０）で設定可能なレイアウトパターンは、３種類であったが、本発明は、この態様に限定されるものではない。即ち、本発明は、一の原稿画像７１に対する、一の付帯テキスト画像９０の位置を、種々の位置関係（例えば、上下左右等）に設定し得る態様とすることも可能である。更に、本発明は、１ページの印刷用紙１００に出力される印刷用合成データに含まれる「原稿画像７１と付帯テキスト画像９０の組」の数を、一組又は三組に限定されることなく、適宜変更することも可能である。
【符号の説明】
【０１４５】
１      印刷システム
１０    コンピュータ
１１    制御部
１６    アプリケーションプログラム
２４    キーボード
２５    ディスプレイ
３０    多機能機
３１    制御部
３５    スキャナ部
３６    印刷部
３８    表示パネル
３９    キーパッド
５０    スキャン前プレビュー画面
５１    原稿位置ガイド画像
６０    レイアウト選択画面
８０    印刷プレビュー画面
９０    付帯テキスト画像
１００  印刷用紙
【図１】
2010206481.tif 000003
【図２】
2010206481.tif 000004
【図３】
2010206481.tif 000005
【図４】
2010206481.tif 000006
【図５】
2010206481.tif 000007
【図６】
2010206481.tif 000008
【図７】
2010206481.tif 000009
【図８】
2010206481.tif 000010
【図９】
2010206481.tif 000011
【図１０】
2010206481.tif 000012
【図１１】
2010206481.tif 000013
【図１２】
2010206481.tif 000014
【図１３】
2010206481.tif 000015
【図１４】
2010206481.tif 000016